(57)【要約】【課題】  ４チャンネルマイクロホンを２チャンネル音響機器に接続したときでも、広がり感、臨場感を得ることができるマイクロホンを提供する【解決手段】  ４チャンネルのマイクロホンユニットで収録した音声信号ＦＬ１，ＦＲ１，ＲＬ１，ＲＲ１を入力端子２１I〜２４Iから導入する。４チャンネル音響機器接続時は、切替スイッチ１５を開放して、前記入力信号を４チャンネル音信号ＦＬ，ＦＲ，ＲＬ，ＲＲとして出力する。２チャンネル音響機器接続時は、切替スイッチ１５を閉じて、前方左音声信号ＦＬ１に、前記前方右音声信号の逆相信号（ＦＲ２分）と後方左音声信号の同相信号（ＲＬ１分）とを混合した左チャンネル音信号Ｌを出力端子２１Oに出力し、前方右音声信号ＦＲ１に、前記前方左音声信号の逆相信号（ＦＬ２分）と後方右音声信号の同相信号（ＲＲ１分）とを混合した右チャンネル音信号Ｒを出力端子２２Oに出力する。【選択図】 図３
2006303839.tif 000002
【特許請求の範囲】
【請求項１】
複数のマイクロホンユニットを有し、前方左チャンネル、前方右チャンネル、後方左チャンネル、後方右チャンネルの４チャンネルに対応した音信号を入力する４チャンネル音信号導入手段と、
前記４チャンネル音信号導入手段によって入力された４チャンネルに対応した音信号を４チャンネル音信号として出力する４チャンネル信号回路と、
前記４チャンネル音信号導入手段によって入力された４チャンネル音信号から２チャンネル音信号を作成して出力する回路であって、前記前方右チャンネルの音信号に前方左チャンネルの逆相信号を混合し、前記前方左チャンネルの音信号に前方右チャンネルの逆相信号を混合する回路を有した２チャンネル信号回路と、
前記４チャンネル音信号と２チャンネル音信号の出力を切り替える切替手段と
を備えたことを特徴とするマイクロホン。
【請求項２】
前記２チャンネル信号回路は、前記前方右チャンネルの音信号に後方右チャンネルの同相信号を混合し、前記前方左チャンネルの音信号に後方左チャンネルの同相信号を混合する回路を有していることを特徴とする請求項１に記載のマイクロホン。
【請求項３】
前記混合する各チャンネルの逆相信号レベルは、前記複数のマイクロホンユニットの主要な指向角の範囲内では、前記混合した各チャンネルの同相信号のレベルを越えないレベルに設定されていることを特徴とする請求項１に記載のマイクロホン。
【請求項４】
前記４チャンネル音信号導入手段は、指向性を有し、互いに９０°ずつ中心軸をずらして配設した第１〜第４のマイクロホンユニットを備えていることを特徴とする請求項１に記載のマイクロホン。
【請求項５】
前記４チャンネル音信号導入手段は、
互いに逆方向に向けられた単一指向性の第１、第２のマイクロホンユニットと、
前記第１、第２のマイクロホンユニットの向きに対して９０°ずれた方向に向けられた双指向性の第３のマイクロホンユニットと、
前記第１および第３のマイクロホンユニットの出力を加算して前方左チャンネルの音信号を得、前記第１および第３のマイクロホンユニットの出力を減算して前方右チャンネルの音信号を得、前記第２および第３のマイクロホンユニットの出力を加算して後方左チャンネルの音信号を得、前記第２および第３のマイクロホンユニットの出力を減算して後方右チャンネルの音信号を得る演算部と
を備えていることを特徴とする請求項１に記載のマイクロホン。
【発明の詳細な説明】
【技術分野】
【０００１】
本発明は、４チャンネルマイクロホンを２チャンネル音響機器に適応させることができる機能を備えたマイクロホンに関する。
【背景技術】
【０００２】
従来、前方左チャンネル、前方右チャンネル、後方左チャンネル、後方右チャンネルの４チャンネルに対応した音信号を収録する４チャンネルマイクロホンにおいては、例えば下記特許文献１に記載されているように、４チャンネルのサラウンド音声信号を得ることが提案されている。
【特許文献１】特開平５−１９１８８７号公報  また、下記特許文献２に記載されているように、単一指向性の２つのマイクロホンユニットと双指向性の１つのマイクロホンユニットを用いて、４チャンネルの音声信号を得る、いわゆるＭ−Ｓ方式のマイクロホンが提案されている。
【特許文献２】特開昭５７−４２２９６号公報
【発明の開示】
【発明が解決しようとする課題】
【０００３】
前記４チャンネルマイクロホンは、４チャンネル音響機器に対応することのみが機能範疇であった。したがって、４チャンネルマイクロホンを２チャンネル音響機器に接続したときは、４チャンネルのうち２チャンネルのみしか有効利用できず、４チャンネルマイクロホンとしての機能を十分生かすことができない。
【０００４】
すなわち４チャンネルマイクロホンを用いて２チャンネル再生を行った場合に、広がり感や臨場感を得ることができなかった。
【０００５】
そこで前記４チャンネルマイクロホンの、例えば前方右チャンネルの音信号に、後方右チャンネルの正相信号を混合するとともに、後方左チャンネルの逆相信号を混合し、前方左チャンネルの音信号に、後方左チャンネルの正相信号を混合するとともに、後方右チャンネルの逆相信号を混合することにより、通常の２チャンネル再生においても、４チャンネルの音源を有効に利用して、広がり感、臨場感を得ることが考えられる。
【０００６】
しかしながらこのように構成した場合、その方向再現性には次のような矛盾した現象がある。すなわち、例えば合成された右信号の成分の中で、右側後方の正相成分の音が少ないと、合成された左信号の右側後方の逆相成分が音場定位してしまい、後方右にあるはずの音が前方左から聞こえ、同様に後方左にあるはずの音が前方右から聞こえるという現象が起こる。これは、逆位相音源の正位相の出力成分が少ないことによる。
【０００７】
したがって、逆相成分の合成量を多くすることができない。また、逆相成分が少ないと広がり感、臨場感の効果が少なくなってしまう。
【０００８】
本発明は上記の点に鑑みてなされたものでその目的は、４チャンネルマイクロホンを２チャンネル音響機器に接続したときでも、４チャンネルの機能を生かし、通常の２チャンネル再生においても、４チャンネルの音源を有効に利用することで、広がり感、臨場感を得ることができ、且つ方向再現性に優れたマイクロホンを提供することにある。
【課題を解決するための手段】
【０００９】
２チャンネル音響機器の２チャンネル再生において、広がり感、臨場感を得るには、一般的に２チャンネル音源を加工することで実現していた。この加工処理としては、２チャンネルＬ，Ｒの音源の位相を反転させ、レベルを調整した音声を元のＬ，Ｒにそれぞれ逆に加算する方式や、２チャンネルＬ，Ｒの音源を差動アンプに加え、その出力のレベルを調整し、元のＬ，Ｒにそれぞれ逆相になるように加算する方式や、２チャンネルＬ，Ｒの音源を差動アンプに加え、その出力のレベルを調整し、位相遅延させ、元のＬ，Ｒに加算する方式などがある。
【００１０】
これに対し本発明は４チャンネル（前方左右、後方左右）音源のうち、前方左右の２チャンネルの音源を上記のような加工を施し、後方左右の２チャンネルをそれぞれ、左チャンネルには後方左チャンネルを、右チャンネルには、後方右チャンネルを加えることにより、４チャンネルの音源を有効に使い、２チャンネルを音源とする方式よりも、広がり感、臨場感ともに効果的に表現できるように構成した。
【００１１】
さらに、後方左にあるはずの音が前方右から聞こえ、同様に後方右にあるはずの音が前方左から聞こえるという現象は発生せず、良好な方向再現性が得られる。
【００１２】
すなわち本発明は、複数のマイクロホンユニットを有し、前方左チャンネル、前方右チャンネル、後方左チャンネル、後方右チャンネルの４チャンネルに対応した音信号を入力する４チャンネル音信号導入手段と、前記４チャンネル音信号導入手段によって入力された４チャンネルに対応した音信号を４チャンネル音信号として出力する４チャンネル信号回路と、前記４チャンネル音信号導入手段によって入力された４チャンネル音信号から２チャンネル音信号を作成して出力する回路であって、前記前方右チャンネルの音信号に前方左チャンネルの逆相信号を混合し、前記前方左チャンネルの音信号に前方右チャンネルの逆相信号を混合する回路を有した２チャンネル信号回路と、前記４チャンネル音信号と２チャンネル音信号の出力を切り替える切替手段とを備えたことを特徴としている。
【００１３】
また前記２チャンネル信号回路は、前記後方左チャンネルの同相信号を前方左チャンネルの音信号に混合し、前記後方右チャンネルの同相信号を前方右チャンネルの音信号に混合する回路を有していることを特徴としている。
【００１４】
また前記混合する各チャンネルの逆相信号レベルは、前記複数のマイクロホンユニットの主要な指向角の範囲内では、前記混合した各チャンネルの同相信号のレベルを越えないレベルに設定されていることを特徴としている。
【００１５】
また前記４チャンネル音信号導入手段は、指向性を有し、互いに９０°ずつ中心軸をずらして配設した第１〜第４のマイクロホンユニットを備えていることを特徴としている。
【００１６】
また前記４チャンネル音信号導入手段は、互いに逆方向に向けられた単一指向性の第１、第２のマイクロホンユニットと、前記第１、第２のマイクロホンユニットの向きに対して９０°ずれた方向に向けられた双指向性の第３のマイクロホンユニットと、前記第１および第３のマイクロホンユニットの出力を加算して前方左チャンネルの音信号を得、前記第１および第３のマイクロホンユニットの出力を減算して前方右チャンネルの音信号を得、前記第２および第３のマイクロホンユニットの出力を加算して後方左チャンネルの音信号を得、前記第２および第３のマイクロホンユニットの出力を減算して後方右チャンネルの音信号を得る演算部とを備えていることを特徴としている。
【００１７】
上記の構成において、本発明のマイクロホンを４チャンネル音響機器に接続するときは、切替手段を４チャンネル音信号出力側に切り替える。すると複数のマイクロホンユニットから導入された、前方左チャンネル、前方右チャンネル、後方左チャンネル、後方右チャンネルの４チャンネルの音信号は、４チャンネル信号回路を介してそのまま出力され、４チャンネル再生が行われる。
【００１８】
また本発明のマイクロホンを２チャンネル音響機器に接続するときは、切替手段を２チャンネル音信号出力側に切り替える。すると２チャンネル信号回路は、例えば、複数のマイクロホンユニットから導入された、前記前方左チャンネルの逆相信号を前方右チャンネルの音信号に混合し、前記前方右チャンネルの逆相信号を前方左チャンネルの音信号に混合し、さらに後方右チャンネルの信号を前方右チャンネルの音信号に混合し、後方左チャンネルの信号を前方左チャンネルの音信号に混合して２チャンネル音信号を作成して出力する。これによって２チャンネル再生が行われる。
【００１９】
このとき、前方右チャンネルには前方左チャンネルの逆相の音が、前方左チャンネルには前方右チャンネルの逆相の音が各々混合されているため、音は左右のスピーカー中央で定位せず、音の定位感がぼやけて、左右のスピーカーが広がったような定位感となる。また混合される後方より収録された音によりさらに臨場感あふれるものとなる。
【発明の効果】
【００２０】
（１）本発明によれば、４チャンネルの音源すべてを有効利用した２チャンネル音信号を得ることができる。このため２チャンネル音響機器を接続して再生したときに、広がり感、臨場感が効果的に表現される。
【００２１】
特に従来の、２チャンネル音源を加工する方式に比べて、より広がり感、臨場感が得られ、且つ良好な方向再現性が得られる。また映像と組み合わせることによって、その効果はより一層高くなる。
【００２２】
さらに、本発明のマイクロホンは、４チャンネル音響機器に限らず２チャンネル音響機器にも使用できる付加価値をもたらす。
（２）また請求項４に記載の発明によれば、指向性を有し、互いに９０°ずつ中心軸をずらして配設した第１〜第４のマイクロホンユニットを備えたマイクロホンにおいて、前記（１）と同様の効果が得られる。
（３）また請求項５に記載の発明によれば、互いに逆方向に向けられた単一指向性の第１、第２のマイクロホンユニットと、前記第１、第２のマイクロホンユニットの向きに対して９０°ずれた方向に向けられた双指向性の第３のマイクロホンユニットとを有し、これら３つのマイクロホンユニットの出力から４チャンネルの音信号を得るようにした、いわゆるＭ−Ｓ（Ｍｉｄ−Ｓｉｄｅ）方式のマイクロホンにおいて、前記（１）と同様の効果が得られる。
【発明を実施するための最良の形態】
【００２３】
以下、図面を参照しながら本発明の実施の形態について説明する。図１は本発明を映像、音声の収録が行えるビデオカムコーダーに適用した実施形態例の外観を示している。図１において、ビデオカムコーダーの本体１０には、４つの指向性マイクロホンユニット１１〜１４および切り替えスイッチ１５を備えた４チャンネルマイクロホン２０が取り付けられている。
【００２４】
指向性マイクロホンユニット１１は、カメラの前方左側に向けて配置され、前方左チャンネルの音源（ＦＬ）を収録する。
【００２５】
指向性マイクロホンユニット１２は、カメラの前方右側に向けて配置され、前方右チャンネルの音源（ＦＲ）を収録する。
【００２６】
指向性マイクロホンユニット１３は、カメラの後方左側に向けて配置され、後方左チャンネルの音源（ＲＬ）を収録する。
【００２７】
指向性マイクロホンユニット１４は、カメラの後方右側に向けて配置され、後方右チャンネルの音源（ＲＲ）を収録する。
【００２８】
切替スイッチ１５は、４チャンネル音響機器使用モードと２チャンネル音響機器使用モードとを切り替える切替スイッチであり、例えば開放して４チャンネル音響機器使用モードを選択したときは、前記指向性マイクロホンユニット１１〜１４で収録された４チャンネル音信号がそのまま出力され、閉じて２チャンネル音響機器使用モードを選択したときは、前記指向性マイクロホンユニット１１〜１４で収録された４チャンネル音信号を有効に活用して作成した２チャンネル音信号が出力される。
【００２９】
図２は前記４チャンネルマイクロホン２０の電気的構成および指向性マイクロホンユニット１１〜１４の平面配置を表している。図２においてエンコーダー１は切替スイッチ１５が開放されたとき（４チャンネル音響機器使用モード選択時）には作用せず、指向性マイクロホンユニット１１〜１４で収録された４チャンネルの音源がそのまま４チャンネル音信号ＦＬ，ＦＲ，ＲＬ，ＲＲとして出力される。
【００３０】
またエンコーダー１は、切替スイッチ１５（図３）が閉じられたとき（２チャンネル音響機器使用モード選択時）に作用し、指向性マイクロホンユニット１１〜１４で収録された４チャンネルの音源から２チャンネル音信号Ｌ，Ｒを作成して出力する。尚このときは後方左チャンネルおよび後方右チャンネルの音信号ＲＬ，ＲＲは使用しない。
【００３１】
次にエンコーダー１の詳細な回路を図３とともに説明する。図３において、入力端子２１Iには、指向性マイクロホンユニット１１で収録された前方左音声信号ＦＬ１が入力され、入力端子２２Iには、指向性マイクロホンユニット１２で収録された前方右音声信号ＦＲ１が入力され、入力端子２３Iには、指向性マイクロホンユニット１３で収録された後方左音声信号ＲＬ１が入力され、入力端子２４Iには、指向性マイクロホンユニット１４で収録された後方右音声信号ＲＲ１が入力される。
【００３２】
入力端子２１Iは位相を反転する反転アンプ２７ＦＬの入力端に接続されるとともに、加算器２５Ｌの一方の入力端に接続され、加算器２５Ｌの出力端は出力端子２１Oに接続されている。
【００３３】
入力端子２２Iは位相を反転する反転アンプ２７ＦＲの入力端に接続されるとともに、加算器２５Ｒの一方の入力端に接続され、加算器２５Ｒの出力端は出力端子２２Oに接続されている。
【００３４】
入力端子２３Iは、出力端子２３Oに接続されるとともにレベル調整用の抵抗２６ＲＬ１の一端に接続されている。
【００３５】
入力端子２４Iは、出力端子２４Oに接続されるとともにレベル調整用の抵抗２６ＲＲ１の一端に接続されている。
【００３６】
反転アンプ２７ＦＬの出力端はレベル調整用の抵抗２６ＦＬ２の一端に接続され、反転アンプ２７ＦＲの出力端はレベル調整用の抵抗２６ＦＲ２の一端に接続されている。
【００３７】
前記抵抗２６ＲＬ１および抵抗２６ＦＲ２の他端どうしの共通接続点は、切替スイッチ１５の接点１５Ｌを介して加算器２５Ｌの他方の入力端に接続されている。
【００３８】
前記抵抗２６ＲＲ１および抵抗２６ＦＬ２の他端どうしの共通接続点は、切替スイッチ１５の接点１５Ｒを介して加算器２５Ｒの他方の入力端に接続されている。
【００３９】
尚、切替スイッチ１５の接点１５Ｌ，１５Ｒは連動するものである。
【００４０】
上記のように構成された回路において、４チャンネル音響機器に接続するときは切替スイッチ１５を開放する。この場合は、入力端子２１I〜２４Iから入力された４チャンネルの音声がそのまま、４チャンネル音信号ＦＬ，ＦＲ，ＲＬ，ＲＲとして出力端子２１O〜２４Oから出力される。
【００４１】
また２チャンネル音響機器に接続するときは切替スイッチ１５を閉じる。この場合は、入力端子２２Iから入力された前方右音声信号ＦＲ１を反転アンプ２７ＦＲで位相反転し抵抗２６ＦＲ２でレベル調整した逆相信号ＦＲ２と、入力端子２３Iから入力された後方左音声信号ＲＬ１を抵抗２６ＲＬ１でレベル調整した同相信号とが、接点１５Ｌを介して加算器２５Ｌに印加される。
【００４２】
このため出力端子２１Oには、前方左音声信号ＦＬ１に、前記前方右音声信号の逆相信号（ＦＲ２分）と後方左音声信号の同相信号（ＲＬ１分）とを混合した左チャンネル音信号Ｌが出力される。
【００４３】
また入力端子２１Iから入力された前方左音声信号ＦＬ１を反転アンプ２７ＦＬで位相反転し抵抗２６ＦＬ２でレベル調整した逆相信号ＦＬ２と、入力端子２４Iから入力された後方右音声信号ＲＲ１を抵抗２６ＲＲ１でレベル調整した同相信号とが、接点１５Ｒを介して加算器２５Ｒに印加される。
【００４４】
このため出力端子２２Oには、前方右音声信号ＦＲ１に、前記前方左音声信号の逆相信号（ＦＬ２分）と後方右音声信号の同相信号（ＲＲ１分）とを混合した右チャンネル音信号Ｒが出力される。
【００４５】
このため、２チャンネル音信号Ｌ，Ｒが導出される出力端子２１O，２２Oに接続された２チャンネル音響機器による再生音は、左右のスピーカー中央で定位せず、音の定位感がぼやけて、左右のスピーカーが広がったような定位感となる。さらに混合される信号ＲＬ１，ＲＲ１は後方より収録されたものであるので、より臨場感あふれるものとなる。
【００４６】
尚図３の加算器２５Ｌ，２５Ｒにおいて各々混合する各チャンネルの逆相信号ＦＬ２，ＦＲ２のレベルは、マイクロホンユニット１１〜１４の主要な指向角の範囲内、すなわち主軸に対し左右それぞれ９０°の角度内では、前記混合した各チャンネルの同相信号のレベルを越えないように、抵抗２６ＲＬ１，２６ＲＲ１によって調整されている。
【００４７】
次に、上記のように逆相信号ＦＬ２、ＦＲ２の混合により作成した本発明の２チャンネル音信号Ｌ，Ｒ（疑似４チャンネルステレオ）の、逆相信号と同相信号のバランスについて、全方位における信号レベルを表したポーラパターンを示す図４〜図６とともに検証する。
【００４８】
図４は逆相信号がうまく調整されたときの、ステレオマイクのポーラパターンを現している。この場合は、左右１２０°まで逆相信号のレベルが同相信号のレベルを越えていないことがわかる。
【００４９】
すなわちＲチャンネルでは、１１５°の同相信号レベルが１．７５＞２４５°の逆相信号レベルが１．６であり、１２０°の同相信号レベルが１．６＝２４０°の逆相信号レベルが１．６であり、１２５°の同相信号レベルが１．４＜２３５°の逆相信号レベルが１．５となっている。
【００５０】
またＬチャンネルでは、２４５°の同相信号レベルが１．７５＞１１５°の逆相信号レベルが１．６であり、２４０°の同相信号レベルが１．６＝１２０°の逆相信号レベルが１．６であり、２３５°の同相信号レベルが１．４＜１２５°の逆相信号レベルが１．５となっている。
【００５１】
図５は逆相信号のレベルが小さすぎた場合のポーラパターンを現している。この場合は、逆相信号のレベルが同相信号のレベルを越えていないが、逆相信号が作り出す臨場感は失われる。
【００５２】
すなわちＲチャンネルでは、１２０°の同相信号レベルが１．６＞２４０°の逆相信号レベルが１．１であり、１６０°の同相信号レベルが０．７＞２００°の逆相信号レベルが０．６となっている。
【００５３】
またＬチャンネルでは、２４０°の同相信号レベルが１．６＞１２０°の逆相信号レベルが１．１であり、２００°の同相信号レベルが０．７＞１６０°の逆相信号レベルが０．６となっている。
【００５４】
図６は、図５とは逆に、逆相信号のレベルが大きすぎた時のポーラパターンを現している。この場合は、左右９０°以内で逆相が同相信号のレベルを越えてしまっているため、後方左の音が前方右に、後方右の音が前方左に定位してしまって方向感が損なわれてしまう。
【００５５】
すなわちＲチャンネルでは、９０°の同相信号レベルが２．５５＜２７０°の逆相信号レベルが２．７であり、１００°の同相信号レベルが２．３＜２６０°の逆相信号レベルが２．８５となっている。
【００５６】
またＬチャンネルでは、２７０°の同相信号レベルが２．５５＜９０°の逆相信号レベルが２．７であり、２６０°の同相信号レベルが２．３＜１００°の逆相信号レベルが２．８５となっている。
【００５７】
したがって、本発明のより好ましい実施形態例としては、２チャンネル音信号Ｌ，Ｒ（疑似４チャンネルステレオ）の、逆相信号と同相信号のバランスが、図４のようなポーラパターンとなるように、マイクロホンユニット１１〜１４、図３の反転アンプ２７ＦＬ，２７ＦＲ、抵抗２６ＦＬ２，２６ＦＲ２，２６ＲＬ１，２６ＲＲ１の各定数を調整しておくものである。
【００５８】
次に本発明を、互いに逆方向に向けられた単一指向性の第１、第２のマイクロホンユニットと、前記第１、第２のマイクロホンユニットの向きに対して９０°ずれた方向に向けられた双指向性の第３のマイクロホンユニットとを備えたＭ−Ｓ（Ｍｉｄ−Ｓｉｄｅ）方式のマイクロホンに適用した実施形態例を図７とともに説明する。
【００５９】
図７において、本実施形態例のマイクロホン３０は、互いに逆方向（前後方向）に向けて配置された単一指向性の第１、第２のマイクロホンユニット３１，３２（Ｍ１，Ｍ２）と、それらマイクロホンユニット３１，３２の向きに対して９０°ずれた方向に向けられた双指向性の第３のマイクロホンユニット３３（Ｓ１）とを有している。
【００６０】
エンコーダー２は、３つのマイクロホンユニット３１〜３３の出力を加減算して、前方左（ＦＬ）、前方右（ＦＲ）、後方左（ＲＬ）、後方右（ＲＲ）の４チャンネルの音声信号を得る。すなわちエンコーダー２は、例えば特許文献２に開示されているように、第１および第３のマイクロホンユニット３１、３３の出力を加算して前方左音声信号を得、第１および第３のマイクロホンユニット３１、３３の出力を減算して前方右音声信号を得、第２および第３のマイクロホンユニット３２、３３の出力を加算して後方左音声信号を得、第２および第３のマイクロホンユニット３２、３３の出力を減算して後方右音声信号を得るものである。
【００６１】
エンコーダー２の各出力信号は、前記図３と同様に構成されたエンコーダー１に導入される。尚図７のマイクロホン３０においても前記同様の切替スイッチ１５が設けられている（図示省略）。
【００６２】
このように構成されたマイクロホン３０において、４チャンネル音響機器に接続するときは切替スイッチ１５を開放する。この場合は、エンコーダー１は作用せず、３つのマイクロホンユニット３１〜３３で収録され、エンコーダー２の演算により得られた４チャンネルの音声信号がそのまま、４チャンネル音信号ＦＬ，ＦＲ，ＲＬ，ＲＲとして出力される。
【００６３】
また２チャンネル音響機器に接続するときは切替スイッチ１５を閉じる。この場合はエンコーダー１が作用し、前記エンコーダー２により演算された４チャンネルの音声信号から、前記図３で述べた動作と同様にして２チャンネル音信号Ｌ，Ｒを作成し出力する。尚このときは後方左チャンネルおよび後方右チャンネルの音信号ＲＬ，ＲＲは使用しない。
【００６４】
尚本発明の４チャンネル音信号から２チャンネル音信号を作成して出力する２チャンネル信号回路は、前記反転アンプ２７ＦＬ，２７ＦＲおよび抵抗２６ＦＬ２，２６ＦＲ２を用いるに限らず、前方左、右の音声信号ＦＬ１，ＦＲ１を差動アンプに加え、その出力のレベルを調整し、前方左、右の音声信号ＦＬ１，ＦＲ１に各々逆相になるように加算しても良い。
【図面の簡単な説明】
【００６５】
【図１】本発明をビデオカムコーダーに適用した実施形態例の斜視図。
【図２】本発明の一実施形態例の４チャンネルマイクロホン２０の構成図。
【図３】本発明の要部の一実施形態例を示す回路図。
【図４】本発明の実施形態例における、逆相信号のバランスが良い場合のＬチャンネルとＲチャンネルのポーラパターンを示す特性図。
【図５】本発明の実施形態例における、逆相信号が弱すぎる場合のＬチャンネルとＲチャンネルのポーラパターンを示す特性図。
【図６】本発明の実施形態例における、逆相信号過多の場合のＬチャンネルとＲチャンネルのポーラパターンを示す特性図。
【図７】本発明の他の実施形態例のマイクロホン３０の構成図。
【符号の説明】
【００６６】
１、２…エンコーダー、１０…ビデオカムコーダーの本体、１１〜１４…指向性マイクロホンユニット、１５…切替スイッチ、２０…４チャンネルマイクロホン、２１I〜２４I…入力端子、２１O〜２４O…出力端子、２５Ｌ，２５Ｒ…加算器、２６ＲＬ１，２６ＲＲ１，２６ＦＬ２，２６ＦＲ２…抵抗、２７ＦＬ，２７ＦＲ…反転アンプ、３０…マイクロホン、３１…単一指向性の第１のマイクロホンユニット、３２…単一指向性の第２のマイクロホンユニット、３３…双指向性の第３のマイクロホンユニット。
【図１】
2006303839.tif 000003
【図２】
2006303839.tif 000004
【図３】
2006303839.tif 000005
【図４】
2006303839.tif 000006
【図５】
2006303839.tif 000007
【図６】
2006303839.tif 000008
【図７】
2006303839.tif 000009